(57)【要約】【課題】本発明は、ユーザーが容易に把持することができるハンドルを有する電気回路基板を提供することを目的とする。【解決手段】本発明の電気回路基板は、少なくとも１つの貫通孔が設けられた回路基板本体と、一端に定位端が形成された少なくとも１つのハンドルと、一端の幅が前記貫通孔の幅より大きい少なくとも１つの接続部と、を備え、前記ハンドルの定位端は対応する前記貫通孔を貫通して前記接続部に接続されて、前記ハンドルは前記回路基板本体の上方に装着される。【選択図】図１
2013046057.tif 000002
【特許請求の範囲】
【請求項１】
少なくとも１つの貫通孔が設けられた回路基板本体と、
一端に定位端が形成された少なくとも１つのハンドルと、
一端の幅が前記貫通孔の幅より大きい少なくとも１つの接続部と、
を備え、
前記ハンドルの前記定位端は対応する前記貫通孔を貫通して前記接続部に接続されて、前記ハンドルは前記回路基板本体の上方に装着されることを特徴とする電気回路基板。
【請求項２】
前記ハンドルは、頂部及び前記頂部の中間部から延在される固定部を備え、前記固定部の前記頂部から離れている一端に前記定位端が形成されることを特徴とする請求項１に記載の電気回路基板。
【請求項３】
前記定位端には、ねじ穴が設けられ、前記ねじ穴の内表面には、内部ねじ山が形成され、前記接続部の外表面には、前記内部ねじ山に対応する外部ねじ山が形成され、前記接続部の前記外部ねじ山は前記定位端の前記内部ねじ山に螺合することを特徴とする請求項１または２に記載の電気回路基板。
【請求項４】
前記定位端の外表面には、外部ねじ山が形成され、前記接続部はナットであり、前記ナットの内表面には、前記外部ねじ山に対応する内部ねじ山が形成され、前記定位端の前記外部ねじ山は、前記ナットの前記内部ねじ山に螺合することを特徴とする請求項１または２に記載の電気回路基板。
【発明の詳細な説明】
【技術分野】
【０００１】
本発明は、電気回路基板に関するものであり、特にハンドルを有する電気回路基板に関するものである。
【背景技術】
【０００２】
現在、コンピューターの小型化に伴い、コンピューターケース内の空間が徐々に狭くなっているので、マザーボードを取り外す場合、十分な操作空間がない。通常、ユーザーが両手でマザーボードを把持してコネクターからマザーボードを抜き出すので、マザーボードを損傷し易く、且つユーザーと接触することで発生する静電気によってマザーボード上の部品が損傷する可能性もある。
【発明の概要】
【発明が解決しようとする課題】
【０００３】
本発明の目的は、前記課題を解決し、ユーザーが容易に把持することができるハンドルを有する電気回路基板を提供することである。
【課題を解決するための手段】
【０００４】
本発明に係る電気回路基板は、少なくとも１つの貫通孔が設けられた回路基板本体と、一端に定位端が形成された少なくとも１つのハンドルと、一端の幅が前記貫通孔の幅より大きい少なくとも１つの接続部と、を備え、前記ハンドルの定位端は対応する前記貫通孔を貫通して前記接続部に接続されて、前記ハンドルは前記回路基板本体の上方に装着される。
【発明の効果】
【０００５】
本発明の電気回路基板は、回路基板本体の上方にハンドルを装着して、ユーザーが前記電気回路基板を抜き出す場合、前記ハンドルを把持して前記電気回路基板を容易に抜き出すことができ且つ前記電気回路基板を損傷せず、また、ユーザーと接触することによる静電気によって前記電気回路基板の電子部品が損傷することを防ぐことができる。
【図面の簡単な説明】
【０００６】
【図１】本発明の実施形態に係る電気回路基板を示す図である。
【図２】図１に示す電気回路基板の部分拡大分解図である。
【図３】図１に示す電気回路基板のハンドルの拡大図である。
【図４】図３に示すハンドルの別の視角からの拡大図である。
【発明を実施するための形態】
【０００７】
以下、図面を参照して、本発明の実施形態について説明する。
【０００８】
図１及び図２を参照すると、本発明の実施形態に係る電気回路基板１は、回路基板本体１０及び少なくとも１つのハンドル２０を備える。前記回路基板本体１０は、多数の信号線を有する回路基板であり、例えばマザーボードである。本実施形態において、前記ハンドル２０の数は２つである。前記ハンドル２０は、前記回路基板本体１０におけるユーザーが容易に把持することができる位置に装着される。本実施形態において、２つの前記ハンドル２０は、前記回路基板本体１０の対角線の両端近傍に装着される。
【０００９】
前記回路基板本体１０の前記ハンドル２０に対応する箇所には、貫通孔３０が設けられる。貫通孔３０は、長円形状をなしている。前記ハンドル２０は、前記回路基板本体１０の上方から前記貫通孔３０を貫通して前記回路基板本体１０の下方に位置する接続部４０に接続されて、前記ハンドル２０は前記回路基板本体１０の上方に安定して装着される。前記ハンドル２０が前記回路基板本体１０の貫通孔３０を貫通する時に前記回路基板本体１０の信号線に接触しないので、前記電気回路基板１が損傷しない。
【００１０】
図３及び図４を参照すると、前記ハンドル２０は、略Ｔ字状であり、平面視で長方形板状の頂部２１及び前記頂部２１の長軸方向の中間部から突出して延在される固定部２２を備える。前記頂部２１の上端面は、人の親指の湾曲形状に対応する湾曲度合いを有する湾曲端面であるので、ユーザーは親指を前記ハンドル２０の頂部２１の上端面に接触し且つ人差し指及び中指を前記ハンドル２０の頂部２１の下方に接触して、前記ハンドル２０を容易に把持することができる。本実施形態において、前記固定部２２は、円柱状である。前記固定部２２の前記頂部２１から離れている一端は、定位端２３である。定位端２３は、貫通孔３０に対応した外形を有しており、貫通孔３０と同様の長円形状をなしている。前記固定部２２は前記回路基板本体１０の貫通孔３０を貫通して、前記定位端２３は前記接続部４０に接続し、前記接続部４０の一端の幅は前記貫通孔３０の幅より大きいので、前記ハンドル２０は前記回路基板本体１０に安定して装着される。
【００１１】
本実施形態において、前記ハンドル２０の定位端２３には、ねじ穴２４が設けられ、前記ねじ穴２４の内表面には、内部ねじ山２５が形成される。前記接続部４０は、ねじであり、その一端の外表面には、前記ねじ穴２４の内部ねじ山２５に対応する外部ねじ山４１が形成される。前記接続部４０の他端は、ゴム材料からなる頭部４２であり、前記頭部４２の幅は前記貫通孔３０の幅より大きい。前記ハンドル２０を装着する場合、前記ハンドル２０の固定部２２を前記回路基板本体１０の貫通孔３０に貫通させて、前記回路基板本体１０の下方で前記接続部４０の外部ねじ山４１を前記ねじ穴２４の内部ねじ山２５に螺合させて、前記接続部４０の頭部４２は前記回路基板本体１０の下表面に当接し、前記ハンドル２０は前記回路基板本体１０の上方に安定して装着される。
【００１２】
本発明の他の実施形態において、前記ハンドル２０の固定部２２の定位端２３の外表面に外部ねじ山が形成され、前記接続部４０はナットであり、前記接続部４０の内表面には、前記定位端２３の外部ねじ山に対応する内部ねじ山が形成される。前記ハンドル２０を装着する場合、前記ハンドル２０の固定部２２を前記回路基板本体１０の貫通孔３０に貫通させて、前記回路基板本体１０の下方で前記定位端２３の外部ねじ山を前記接続部４０の内部ねじ山に螺合させて、前記ハンドル２０は前記回路基板本体１０の上方に安定して装着される。
【００１３】
本発明の電気回路基板１は、前記回路基板本体１０の上方にハンドル２０を装着して、ユーザーが前記電気回路基板１を抜き出す場合、前記ハンドル２０を把持して前記電気回路基板１を容易に抜き出すことができ且つ前記電気回路基板１を損傷せず、ユーザーと接触することによる静電気によって前記電気回路基板１の電子部品が損傷することを防ぐことができる。
【００１４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、添付の特許請求の範囲によって決まる。
【符号の説明】
【００１５】
１  電気回路基板
１０  回路基板本体
２０  ハンドル
２１  頂部
２２  固定部
２３  定位端
２４  ねじ穴
２５  内部ねじ山
３０  貫通孔
４０  接続部
４１  外部ねじ山
４２  頭部
【図１】
2013046057.tif 000003
【図２】
2013046057.tif 000004
【図３】
2013046057.tif 000005
【図４】
2013046057.tif 000006